(57)【要約】  ユーザ機器（ＵＥ）およびネットワークノードを使用して測定設定を行うためのシステム、方法、および装置が開示される。ＵＥによって行われる例示の方法は、ネットワークノードから測定設定を受信することを含み、ここで、測定設定は１つまたは複数のキャリアのセットに対応する基準周波数を指定する。測定設定は基準周波数からのオフセットをさらに指定する。ＵＥは、基準周波数からのオフセットに位置する参照信号に対する測定を行い、かつ測定を１つまたは複数の無線動作に使用する。【選択図】図１３
2020530692.tif 000002
【特許請求の範囲】
【請求項１】
１つまたは複数のキャリアのセットに対応する基準周波数を指定し、前記基準周波数からのオフセットをさらに指定する測定設定を、ネットワークノード（６１５）から受信すること（１３０２）と、
前記基準周波数からの前記オフセットに位置する参照信号に対する測定を行うこと（１３０４）と、
前記測定を１つまたは複数の無線動作に使用すること（１３０６）と
を含む、ユーザ機器（５１０）によって行われる方法（１３００）。
【請求項２】
前記無線動作は、前記測定を前記ネットワークノードにレポートすること、時間追跡を行うこと、周波数追跡を行うこと、測位、または無線リンク監視のうちの１つまたは複数を含む、請求項１に記載の方法。
【請求項３】
前記指定されたオフセットは開始インデックスを含む、請求項１または２に記載の方法。
【請求項４】
前記基準周波数は、参照セルの中心周波数、前記参照信号の中心周波数、周波数帯域の開始周波数、または周波数帯域の終了周波数を指示する、請求項１から３のいずれか一項に記載の方法。
【請求項５】
前記ネットワークノードから、前記１つまたは複数のキャリアのセットに対応するサイズを受信することをさらに含む、請求項１から４のいずれか一項に記載の方法。
【請求項６】
前記参照信号を使用してビームを識別することをさらに含む、請求項１から５のいずれか一項に記載の方法。
【請求項７】
前記参照信号を使用してセルを探索することをさらに含む、請求項１から６のいずれか一項に記載の方法。
【請求項８】
前記参照信号は、物理セル識別子を符号化する新無線同期シーケンス（ＮＲ−ＳＳ）、復調用参照信号（ＤＭＲＳ）、またはチャネル状態情報参照信号（ＣＳＩ−ＲＳ）のうちの少なくとも１つを含む、請求項１から７のいずれか一項に記載の方法。
【請求項９】
前記オフセットは前記１つまたは複数のキャリアのセット内の複数の周波数リソースブロックの場所を指定し、前記複数の周波数リソースブロックのそれぞれは前記１つまたは複数のキャリアのセットの異なるキャリアと関連付けられる、請求項１から８のいずれか一項に記載の方法。
【請求項１０】
前記指定された基準周波数および／または前記指定されたオフセットは、前記ネットワークノードから受信されるビットマップに含まれ、前記ビットマップは複数の位置を指示し、前記ユーザ機器は前記参照信号を検索するために前記複数の位置を探索する、請求項１から９のいずれか一項に記載の方法。
【請求項１１】
前記指定された基準周波数および前記指定されたオフセットは、同じ無線リソース制御（ＲＲＣ）接続再設定、ＲＲＣ接続再開、またはＲＲＣ接続セットアップ通信において指定される、請求項１から１０のいずれか一項に記載の方法。
【請求項１２】
前記指定された基準周波数および前記指定されたオフセットは、システム情報ブロードキャストを介して前記ネットワークノードから受信される、請求項１から１１のいずれか一項に記載の方法。
【請求項１３】
前記指定された基準周波数および前記指定されたオフセットは、前記ユーザ機器からの要求に応答して前記ネットワークノードから受信される、請求項１から１１のいずれか一項に記載の方法。
【請求項１４】
１つまたは複数のキャリアのセットに対応する基準周波数を指定し、前記基準周波数からのオフセットをさらに指定する測定設定を、ネットワークノード（６１５）から受信すること（１３０２）と、
前記基準周波数からの前記オフセットに位置する参照信号に対する測定を行うこと（１３０４）と、
前記測定を１つまたは複数の無線動作に使用すること（１３０６）と、
を含む動作（１３００）を行うように設定される処理回路構成（５２０）を備える、ユーザ機器（ＵＥ）（５１０）。
【請求項１５】
請求項２から１３に記載の方法のいずれかによる動作をさらに含む、請求項１４に記載のＵＥ。
【請求項１６】
前記処理回路構成によって実行される時、前記ユーザ機器に前記動作を行わせる命令を含む非一時的なコンピュータ可読媒体をさらに備える、請求項１４または１５に記載のＵＥ。
【請求項１７】
プロセッサ（５２０）によって実行される時、前記プロセッサに、
１つまたは複数のキャリアのセットに対応する基準周波数を指定し、前記基準周波数からのオフセットをさらに指定する測定設定を、ネットワークノード（６１５）から受信すること（１３０２）と、
前記基準周波数からの前記オフセットに位置する参照信号に対する測定を行うこと（１３０４）と、
前記測定を１つまたは複数の無線動作に使用すること（１３０６）と、
を含む動作（１３００）を行わせるソフトウェア命令が記憶された、非一時的なコンピュータ可読媒体（５３０）。
【請求項１８】
請求項２から１３に記載の方法のいずれかによる動作をさらに含む、請求項１７に記載の非一時的なコンピュータ可読媒体。
【請求項１９】
測定設定において、１つまたは複数のキャリアのセットに対応する基準周波数を指定すること（１４０２）と、
前記測定設定において、前記基準周波数からのオフセットを指定すること（１４０４）と、
前記測定設定をユーザ機器（ＵＥ）（５１０）に提供すること（１４０６）と、
を含む、無線アクセスネットワーク（ＲＡＮ）（３００）におけるネットワークノード（６１５）によって実行される方法（１４００）。
【請求項２０】
前記指定されたオフセットは開始インデックスを含む、請求項１９に記載の方法。
【請求項２１】
前記基準周波数は、参照セルの中心周波数、参照信号の中心周波数、周波数帯域の開始周波数、または周波数帯域の終了周波数を指示する、請求項１９または２０に記載の方法。
【請求項２２】
前記１つまたは複数のキャリアのセットに対応するサイズを前記ＵＥに提供することをさらに含む、請求項１９から２１のいずれか一項に記載の方法。
【請求項２３】
前記参照信号は、物理セル識別子を符号化する新無線同期シーケンス（ＮＲ−ＳＳ）、復調用参照信号（ＤＭＲＳ）、またはチャネル状態情報参照信号（ＣＳＩ−ＲＳ）のうちの少なくとも１つを含む、請求項１９から２２のいずれか一項に記載の方法。
【請求項２４】
前記オフセットは前記１つまたは複数のキャリアのセット内の複数の周波数リソースブロックの場所を指定し、前記複数の周波数リソースブロックのそれぞれは前記１つまたは複数のキャリアのセットの異なるキャリアと関連付けられる、請求項１９から２３のいずれか一項に記載の方法。
【請求項２５】
前記指定された基準周波数および／または前記指定されたオフセットは、前記ＵＥに提供されるビットマップに含まれ、前記ビットマップは複数の位置を指示する、請求項１９から２４のいずれか一項に記載の方法。
【請求項２６】
前記指定された基準周波数および前記指定されたオフセットは、同じ無線リソース制御（ＲＲＣ）接続再設定、ＲＲＣ接続再開、またはＲＲＣ接続セットアップ通信において指定される、請求項１９から２５のいずれか一項に記載の方法。
【請求項２７】
前記指定された基準周波数および前記指定されたオフセットは、システム情報ブロードキャストを介して前記ＵＥに提供される、請求項１９から２６のいずれか一項に記載の方法。
【請求項２８】
前記指定された基準周波数および前記指定されたオフセットは、前記ユーザ機器からの要求に応答して前記ネットワークノードから受信される、請求項１９から２６のいずれか一項に記載の方法。
【請求項２９】
測定設定において、１つまたは複数のキャリアのセットに対応する基準周波数を指定すること（１４０２）と、
前記測定設定において、前記基準周波数からのオフセットを指定すること（１４０４）、
前記測定設定をユーザ機器（ＵＥ）（５１０）に提供すること（１４０６）と、
を含む動作（１４００）を行うように設定される処理回路構成（６２０）
を備える、無線アクセスネットワーク（ＲＡＮ）（３００）におけるネットワークノード（６１５）。
【請求項３０】
請求項２から１３に記載の方法のいずれかによる動作をさらに含む、請求項２９に記載のネットワークノード。
【請求項３１】
測定設定において、１つまたは複数のキャリアのセットに対応する基準周波数（１４０２）、および前記基準周波数からのオフセット（１４０４）を指定するネットワークノード（６１５）と、
前記ネットワークノードから前記測定設定を受信し（１３０２）、参照信号に対する測定（１３０４）を行い、および前記測定を１つまたは複数の無線動作に使用する（１３０６）ユーザ機器（ＵＥ）（５１０）と、
を備える、システム（３００）。
【請求項３２】
前記無線動作は、前記測定を前記ネットワークノードにレポートすること、時間追跡を行うこと、周波数追跡を行うこと、測位、または無線リンク監視のうちの１つまたは複数を含む、請求項３１に記載のシステム。
【請求項３３】
前記指定されたオフセットは開始インデックスを含む、請求項３１または３２に記載のシステム。
【請求項３４】
前記基準周波数は、参照セルの中心周波数、前記参照信号の中心周波数、周波数帯域の開始周波数、または周波数帯域の終了周波数を指示する、請求項３１から３３のいずれか一項に記載のシステム。
【請求項３５】
前記ＵＥは、前記ネットワークノードから、前記１つまたは複数のキャリアのセットに対応するサイズを受信する、請求項３１から３４のいずれか一項に記載のシステム。
【請求項３６】
前記ＵＥは前記参照信号を使用してビームを識別する、請求項３１から３５のいずれか一項に記載のシステム。
【請求項３７】
前記ＵＥは前記参照信号を使用してセルを探索する、請求項３１から３６のいずれか一項に記載のシステム。
【請求項３８】
前記参照信号は、物理セル識別子を符号化する新無線同期シーケンス（ＮＲ−ＳＳ）、復調用参照信号（ＤＭＲＳ）、またはチャネル状態情報参照信号（ＣＳＩ−ＲＳ）のうちの少なくとも１つを含む、請求項３１から３７のいずれか一項に記載のシステム。
【請求項３９】
前記オフセットは前記１つまたは複数のキャリアのセット内の複数の周波数リソースブロックの場所を指定し、前記複数の周波数リソースブロックのそれぞれは前記１つまたは複数のキャリアのセットの異なるキャリアと関連付けられる、請求項３１から３８のいずれか一項に記載のシステム。
【請求項４０】
前記指定された基準周波数および／または前記指定されたオフセットは、前記ネットワークノードから受信されるビットマップに含まれ、前記ビットマップは複数の位置を指示し、前記ＵＥは前記参照信号を検索するために前記複数の位置を探索する、請求項３１から３９のいずれか一項に記載のシステム。
【請求項４１】
前記指定された基準周波数および前記指定されたオフセットは、同じ無線リソース制御（ＲＲＣ）接続再設定、ＲＲＣ接続再開、またはＲＲＣ接続セットアップ通信において指定される、請求項３１から４０のいずれか一項に記載のシステム。
【請求項４２】
前記指定された基準周波数および前記指定されたオフセットは、システム情報ブロードキャストを介して前記ネットワークノードから受信される、請求項３１から３１のいずれか一項に記載のシステム。
【請求項４３】
前記指定された基準周波数および前記指定されたオフセットは、前記ＵＥからの要求に応答して前記ネットワークノードから受信される、請求項３１から４１のいずれか一項に記載のシステム。
【発明の詳細な説明】
【技術分野】
【０００１】
関連出願
本出願は、２０１７年８月１１日に出願された「Ｍｅａｓｕｒｅｍｅｎｔ  Ｃｏｎｆｉｇｕｒａｔｉｏｎ  ｏｆ  ＳＳ  Ｂｌｏｃｋ  Ｃｈｕｎｋｓ」という名称の米国特許仮出願第６２／５４４，６１８号、および２０１７年８月１１日に出願された「Ｍｅａｓｕｒｅｍｅｎｔ  Ｃｏｎｆｉｇｕｒａｔｉｏｎ  ｏｆ  ＳＳ  Ｂｌｏｃｋ  Ｃｈｕｎｋ」という名称の米国特許仮出願第６２／５４４，６３４号からの優先権の利益を主張するものであり、これら開示の内容全体は参照により本明細書に組み込まれる。
【０００２】
本開示は一般に、セルラーネットワークなどの無線通信システムに関し、より詳細には、測定設定を行うための方法、ユーザ機器、およびネットワークノードに関する。
【背景技術】
【０００３】
物理層送信に関連しているＬＴＥおよびＮＲの態様
Ｌｏｎｇ−Ｔｅｒｍ  Ｅｖｏｌｕｔｉｏｎ（ＬＴＥ）において、ユーザ機器（ＵＥ）は、主に、プライマリ同期シーケンス（ＰＳＳ）および／またはセカンダリ同期シーケンス（ＳＳＳ）、ならびにセル固有参照信号（ＣＲＳ）に基づいて、無線リソース管理（ＲＲＭ）測定を行う。ＰＳＳ送信およびＳＳＳ送信は（とりわけ）物理層送信の例である。ＵＥは、ＰＳＳ／ＳＳＳに基づいてＬＴＥセルを自律的に見出すことができ、単に測定対象が設定されることによって、近隣のセルに対してＣＲＳに対する測定を行い、この最も基本的な性質はキャリア周波数情報（例えば、３ＧＰＰ無線インターフェースＥ−ＵＴＲＡ  ＡＲＦＣＮ）である。これは、ＬＴＥ設計において、（１）ＰＳＳ／ＳＳＳがブラインド復号可能であり（例えば、限られた数のシーケンスよってＵＥはいずれの以前のシーケンス情報がなくても物理セル識別子（ＰＣＩ）を復号可能になる）、（２）ＰＳＳ／ＳＳＳおよびＣＲＳの位置および帯域幅が既知であるため、可能である。すなわち、ＰＳＳおよびＳＳＳは常に、ＵＥが測定を行うように設定されるキャリア周波数の中心において送信される。ＣＲＳは、送信帯域幅全体に及び、かつ中心の６のＰＲＢ（物理リソースブロック）からＣＲＥ（セルレンジ拡張）を測定するのに十分であるように十分に密である。
【０００４】
（５Ｇとも称される）ＮＲにおいて、物理セル識別（ＰＣＩ）は、いわゆるＮＲ同期シーケンス（ＮＲ−ＳＳ）ブロックにおいて符号化され、このＮＲ同期シーケンスブロックは、ＵＥが、ネットワークによってシーケンスについての以前の情報が提供されなくてもＮＲ  ＰＣＩを導出することが可能であるＮＲ−ＰＳＳ／ＮＲ−ＳＳＳも含む。それ故に、上述されるＬＴＥからの性質１は、ＮＲ設計にも存在し得る。ＮＲにおけるＲＲＭ測定は、ＮＲ−ＰＳＳ／ＮＲ−ＳＳＳに基づき、さらに、（例えば、測定がビーム固有である、またはビーム固有の測定レポートが必要とされる場合）物理ブロードキャストチャネル復調用参照信号（ＰＢＣＨ−ＤＭＲＳ）を伴ってよい。
【０００５】
他方では、ＬＴＥと違ってＮＲでは、ＳＳブロックは、（例えば、キャリア周波数の中心においてだけでなく）異なった複数の周波数位置において送信可能である。より詳細には、ＲＡＮ１＃８７会合において、（１）ＮＲセルに対して、同期信号に対する中心周波数はＮＲキャリアの中心周波数と異なっている可能性があること、および（２）ＮＲキャリアの中心周波数と同期信号の中心周波数との間に関係があってよく、ＵＥの複雑性と柔軟性との間のトレードオフがあってよいことが合意された。
【０００６】
そして、ＲＡＮ１  ＮＲ  Ａｄ  Ｈｏｃ＃１において、（１）同期信号帯域幅が所与の周波数帯域に対して最小システム帯域幅より小さい時、ＲＡＮ１は、ＮＲ配置柔軟性を限定することなく、ＵＥの最初のセル選択の負担を低減させるためにチャネルラスタと比較して同期信号周波数ラスタをまばらにすることに努め、（２）同期信号帯域幅が、ＵＥが探索する所与の周波数帯域に対する最小システム帯域幅と同じである時、同期信号周波数ラスタはチャネルラスタと同じにされることが合意された。どちらかのシナリオにおいて、ＵＥは、同期信号周波数ラスタによって規定される可能な同期信号周波数位置全てを探索する。
【０００７】
この柔軟性を有する理由のうちの１つは、ＵＥが、（例えば、キャリアの重複の場合に）再調整を行うことなくサービング周波数と異なった複数の周波数に対する測定を行うことを可能にすることである。
【０００８】
ＮＲにおける測定フレームワーク
ＮＲにおける測定フレームワークは、ＬＴＥのものと何らかの類似性を有する可能性がある。例えば、ＮＲにおいて、測定対象、レポート設定、数量設定などの概念がある。ネットワークは、セルレベル測定およびビームレベル測定を行い、かつこれらを測定設定に従ってレポートするようにＲＲＣ＿ＣＯＮＮＥＣＴＥＤ  ＵＥを設定できる。測定設定は、専用シグナリングによって提供され、以下のパラメータを含む。
【０００９】
１．測定対象：ＵＥが測定を行うものとする対象のリスト。ＮＲについて、測定対象は、ＮＲダウンリンクキャリア周波数に関連付け可能である。このキャリア周波数と関連付けられることで、ネットワークは、「ブラックリスト」セルのリスト、および「ホワイトリスト」セルのリストを設定できる。ブラックリストセルは、イベント評価または測定レポート時に適用不可能である。ホワイトリストセルは、イベント評価および／または測定レポート時のもののみ適用可能である。ＮＲ測定は、ＵＥがＬＴＥキャリア周波数においてサーブされる時ＮＲキャリア周波数に対する無線アクセス技術（ＲＡＴ）間測定として設定されてもよい。いくつかの場合では、キャリア周波数に関連付けられたパラメータは、（必ずしも中心とは限らない）ＮＲ−ＰＳＳ／ＮＲ−ＳＳＳの周波数位置などのＮＲ測定対象の一部である。また、いくつかの場合では、ネットワークは、測定対象ごとのセル固有オフセットのリストを設定してよく、ホワイトリストのセルは、測定設定の何らかの他の部分に移動させてよい。ＵＥがＮＲキャリアにおいてサーブされる時のＲＡＴ間Ｅ−ＵＴＲＡ測定について、測定対象は単一のＥ−ＵＴＲＡダウンリンクキャリア周波数である。
【００１０】
２．レポート設定：測定対象ごとの１つまたは複数のレポート設定がある可能性があるレポート設定のリスト。それぞれのレポート設定は、レポート基準、参照信号（ＲＳ）タイプ、およびレポートフォーマットから成る。レポート基準は、トリガされるイベントまたは周期的なイベントのどちらかであり得る測定レポートを送るようにＵＥをトリガする基準である。ＲＳタイプは、ＲＳを、ＵＥがセルレベル測定およびビームレベル測定とみなすように指示する。例示のＲＳタイプは、ＮＲ−ＳＳブロックまたはチャネル状態情報参照信号（ＣＳＩ−ＲＳ）を含む。ＮＲ−ＳＳブロックの場合、ＵＥは、ＰＢＣＨの、ＮＲ−ＳＳＳおよび／またはＮＲ−ＰＳＳおよび／またはＮＲ−ＤＭＲＳを使用して測定を行うことができる。レポートフォーマットは、ＵＥが、測定レポート（参照信号受信電力（ＲＳＲＰ）および／もしくは参照信号受信品質（ＲＳＲＱ）および／もしくは信号対干渉雑音電力比（ＳＩＮＲ）、または等価電力もしくはチャネル品質値）、および関連情報（例えば、レポートするセルおよび／またはビームの数）において含むセルレベル量およびビームレベル量を指示する。
【００１１】
３．測定識別：それぞれの測定識別が１つの測定対象と１つのレポート設定とをリンクさせる測定識別のリスト。複数の測定識別を設定することによって、複数の測定対象を同じレポート設定にリンクさせ、また、複数のレポート設定を同じ測定対象にリンクさせることが可能である。測定識別は、ネットワークに対する基準としての役割を果たすレポートをトリガした測定レポートにも含まれる。
【００１２】
４．数量設定：１つの数量設定はＲＡＴタイプごとに設定される。数量設定は、全てのイベント評価に使用される測定数量および関連フィルタリング、ならびにその測定タイプの関連したレポートを規定する。４つのタイプのフィルタ（ＳＳベースセルレベル、ＣＳＩ−ＲＳベースセルレベル、ＳＳベースビームレベル、ＣＳＩ−ＲＳベースビームレベル）が設定されてよい、あるいは、いくつかの共通の設定、例えば、同じＲＳタイプに同じ設定があることになる。
【００１３】
５．測定ギャップ：ＵＥが測定を行うために使用可能である周期。これらは、ＵＥによってスケジューリングされるまたは行われるアップリンク（ＵＬ）送信またはダウンリンク（ＤＬ）送信がない時の周期を含む。ＮＲ−ＰＳＳ／ＮＲ−ＳＳＳは場合によって（例えば、キャリアの中心だけでなく）非固定周波数位置において送信されることが含意され得る。
【００１４】
既存の解決策の特徴
ＬＴＥにおいて、ネットワークは、ＵＥが、（１）周波数内測定（サービングセルのダウンリンクキャリア周波数における測定）、（２）周波数間測定（サービングセルのダウンリンクキャリア周波数のいずれとも異なっている周波数における測定）、および／または（３）Ｅ−ＵＴＲＡ周波数のＲＡＴ間測定を行うように設定することができる。ＬＴＥにおいて、周波数間／ＲＡＴ間測定を行うために、ＵＥは典型的には、測定ギャップを必要とするが、周波数内動作測定ギャップは、一般的に、帯域幅（ＢＷ）が限定されたＵＥ（例えば、ＵＥ  ＢＷがサービングセルＢＷより小さい時）を除いて、必要とされない。測定ギャップパターンは、典型的には６ミリ秒（ｍｓ）の長さの測定ギャップ長、および４０ｍｓまたは８０ｍｓであり得る測定ギャップ周期性を含む。測定ギャップは、ネットワークノードによってＵＥで設定される。測定ギャップの間、ＵＥは、サービングキャリアにおいて送信または受信することができず、代わりに、周波数間キャリア周波数（複数の周波数間がある場合一度に１つの周波数間）において信号を受信する。ＮＲにおいて、ＵＥ  ＢＷは、セルＢＷより小さい可能性がさらに高い、または任意の種類のＢＷはシステムおよび／またはノードおよび／または基地局と関係している。
【発明の概要】
【００１５】
本開示に開示される例は、ＵＥが、異なるキャリアと関連付けられたセルを区別することを可能にし、その結果、測定レポートを行う時、ネットワークが周波数内ハンドオーバおよび周波数間ハンドオーバとの間で決定することを可能にする測定設定技法を提供する。他の利点は当業者には容易に明らかとなり得る。ある特定の実施形態は、挙げられた利点の、どれも有さない、一部を有する、または全てを有する場合がある。
【００１６】
ユーザ機器によって行われる例示の方法は、ネットワークノードから、１つまたは複数のキャリアのセットに対応する基準周波数、および基準周波数からのオフセットを指定する測定設定を受信することを含む。ユーザ機器は、基準周波数からのオフセットに位置する参照信号に対する測定を行い、かつ測定を１つまたは複数の無線動作に使用する。
【００１７】
例示のユーザ機器は、ネットワークノードから、１つまたは複数のキャリアのセットに対応する基準周波数、および基準周波数からのオフセットを指定する測定設定を受信する動作を行うように設定される処理回路構成を含む。処理回路構成は、基準周波数からのオフセットに位置する参照信号に対する測定を行い、かつ測定を１つまたは複数の無線動作に使用するようにさらに設定される。
【００１８】
ネットワークノードによって行われる例示の方法は、測定設定において、１つまたは複数のキャリアのセットに対応する基準周波数、および基準周波数からのオフセットを指定することを含む。ネットワークノードは、測定設定をユーザ機器に提供する。
【００１９】
例示のネットワークノードは、測定設定において、１つまたは複数のキャリアのセットに対応する基準周波数、および基準周波数からのオフセットを指定する動作を行うように設定される処理回路構成を含む。処理回路構成は、測定設定をユーザ機器に提供するようにさらに設定される。
【００２０】
さらに他の例では、ユーザ機器および／またはネットワークノードを含むシステムは、上記の方法を実行するように提供される。さらに、本開示は、処理回路によって実行される時、処理回路に上記の方法を実行させる、記憶されたコンピュータ命令を含む非一時的なコンピュータ可読媒体も提供する。
【００２１】
開示された実施形態、ならびにこれらの特徴および利点をもっと詳しく理解してもらうために、ここで、添付の図面と併せて以下の説明を参照する。
【図面の簡単な説明】
【００２２】
【図１】いくつかの例による、測定を行う方法を示す図である。
【図２】いくつかの例による、測定を設定する方法を示す図である。
【図３】いくつかの例による、ネットワークの一実施形態を示すブロック図である。
【図４】いくつかの例による、ネットワークの一実施形態を示すブロック図である。
【図５】いくつかの例による、例示の無線デバイスの概略ブロック図である。
【図６】いくつかの例による、例示のネットワークノードの概略ブロック図である。
【図７】いくつかの例による、例示の無線ネットワークコントローラまたはコアネットワークノードの概略ブロック図である。
【図８】いくつかの例による、例示の無線デバイスの概略ブロック図である。
【図９】いくつかの例による、例示のネットワークノードの概略ブロック図である。
【図１０】いくつかの例による、種々のキャリアの周波数リソースブロックに対応する例示のシフトの概略ブロック図である。
【図１１】いくつかの例による、周波数チャンクおよび周波数リソースブロック設定の概略ブロック図である。
【図１２Ａ】図１２Ａおよび図１２Ｂは、いくつかの例による、測定対象によって提供されるような例示の周波数チャンク設定の概略ブロック図である。
【図１２Ｂ】図１２Ａおよび図１２Ｂは、いくつかの例による、測定対象によって提供されるような例示の周波数チャンク設定の概略ブロック図である。
【図１３】いくつかの例による、ユーザ機器に対する測定を設定する例示の方法を示す図である。
【図１４】いくつかの例による、ネットワークノードによって測定設定を提供する例示の方法を示す図である。
【発明を実施するための形態】
【００２３】
本開示は、ＳＳブロックが、異なる重複するキャリアに対して同じまたは異なる周波数位置で送信される時、ＮＲ絶対無線周波数チャネル数（ＡＲＦＣＮ）が１つのキャリアに対する非重複スペクトルを規定しない場合、ＵＥは、ＮＲ−ＡＲＦＣＮ値を使用して、見出されたＮＲセルが属する測定対象を検出することができないことを含む、従来の無線ネットワーク技術問題に対する解決策を意図するものである。その結果として、ＵＥは、異なるキャリアに対するセルを区別することができず、ＲＲＭ測定設定のためのＬＴＥフレームワークに従う場合、測定イベントは適正に、ネットワークによって設定できない、またはＵＥによってレポートできない。それに応じて、ネットワークにおける周波数間モビリティは限定されることになる。
【００２４】
ＬＴＥにおける周波数間モビリティに対する制限に関するさらなる詳細において、ネットワークが、ＵＥが周波数間モビリティをサポートするために測定を行うように設定しようとする場合、異なる測定対象はキャリア周波数ごとに１つ設定可能であり、設定されたキャリアの中心に見出されるセルは、キャリアごとのイベントトリガ基準に対して測定されかつ評価される。それ故に、ネットワークは、サービング周波数におけるいずれのセルも絶対測定閾値より悪くなり、かつ所与の近隣の周波数のいずれのセルも絶対閾値より良くなるイベントを設定することが可能であり、これは潜在的な周波数間ハンドオーバの指示である。しかしながら、このシナリオでは、ＬＴＥフレームワークが適用される（例えば、ｍｅａｓＩｄがｒｅｐｏｒｔＣｏｎｆｉｇおよびｍｅａｓＯｂｊｅｃｔを関連付ける）場合、問題が生じる可能性がある。ネットワークは、周波数間が所与の閾値より良くなることを識別するイベントを設定でき、ＵＥが周波数間セルおよび周波数内セルを区別できないため、ＵＥが、これらのセルが関連付けられるのはどの測定対象か（例えば、ｍｅａｓＩｄはｒｅｐｏｒｔＣｏｎｆｉｇおよびｍｅａｓＯｂｊｅｃｔを関連付ける）を知ることができないため、ＵＥは、測定が関連付けられるべきなのはどの測定ＩＤかを知る手段がない。トリガ条件を満たす全てのセルは、レポートされるセルトリガリストに含まれ得、ＵＥは任意にｍｅａｓＩｄ（例えば、ｍｅａｓＯｂｊｅｃｔ）を選択することが可能である。しかしながら、さらにまた、ネットワークは、どのセルが周波数間または周波数内であるかを知る手段がないことが考えられる。
【００２５】
従来の技術による他の問題は、非重複ＮＲ−ＡＲＦＣＮ帯域幅が使用される場合、ＳＳブロックが異なるノードにおける同じキャリアに対して異なる周波数位置で送信されることになることを含む。その結果として、ＵＥは、可能なＮＲ−ＳＳ位置の１つまたは一部分を測定することによって全ての検出可能なセルを検出することができなくなる。このシナリオに関するさらなる詳細において、ＬＴＥ測定フレームワークに従う場合、ネットワークは周波数内モビリティの実行が難しいことがある。ＬＴＥにおいて、ネットワークが、ＵＥが周波数内モビリティをサポートするための測定を行うように設定しようとする場合、サービング周波数と関連付けられる測定対象は設定可能であり、設定されたキャリアの中心に見出されたセルは、キャリアごとのイベントトリガ基準に対して測定されかつ評価される。ＵＥがイベント条件（例えば、近隣のセルが閾値によるサービングセルより良くなる）を満たす周波数内セルを見出す場合、ＵＥは測定レポートをトリガし、セル測定を含み、および設定されたｍｅａｓＩｄと関係していてよく、これは、測定対象およびｒｅｐｏｒｔＣｏｎｆｉｇをリンクさせ、これにはトリガされたｅｖｅｎｔＩｄが含有される。設定されたｍｅａｓＩｄに関連付けられたレポートを受信する時、ネットワークは、レポートされたセルが周波数内セルであることを知る。それに応じて、単一の測定対象が設定される場合、ＵＥは周波数内セルを見出さない場合がある。そして、複数の測定対象が設定される場合、ＵＥは、周波数内セルおよび周波数間セルを区別することができない場合がある、すなわち、ＵＥは、同じキャリアにおけるセルを見出すことができるが異なる周波数位置では見出さない場合があり、これが周波数内セルであることを識別することができない。
【００２６】
従来の技術は、一般的に、通信をサポートするのに十分であるが、上記に記載された問題に対処する技法が必要である。その点について、本開示では、参照信号（ＲＳ）がネットワークノードによって送信可能であり、かつＵＥによって検出および／または測定可能である、キャリア周波数ごとに１つまたは複数の周波数チャンク（ＦＣ）のセットを規定することを意図している。ＵＥは、同じＦＣ内の異なるキャリアに対するＲＳを見出し、場合によって、周波数再調整（例えば、ＦＣがＵＥの最小帯域幅内にある）の必要もなく、これらの周波数間測定を行う。ＵＥは、事前定義のまたは既知のＦＣによる測定または探索のためにＦＣが設定されてよく、周波数内測定のためのＦＣ、および周波数間測定のためのＦＣなどがあってよい。ＵＥは、測定が行われたＦＣをレポートすることができる。本開示ではまた、それぞれのＦＣに対して、複数の周波数リソースブロック（ＦＲＢ）を規定することを意図している。ＦＣ内のそれぞれのＦＲＢは所与のキャリア周波数と関連付けられてよい。所与のキャリア周波数は、ＵＥが、ＲＲＭ測定に対する参照信号が同じＦＣにおいて送信される場合でもＲＳを異なるキャリア周波数と区別することができるようにＵＥに提供される。
【００２７】
固有の周波数チャンク（ＦＣ）および周波数リソースブロック（ＦＲＢ）において、ＵＥは、１つまたは複数の無線動作を行うために使用される同期信号（ＳＳ）とすることができる参照信号を探索することができる。無線動作の例は、セル検出、時間および／または周波数同期追跡としても知られる時間および／または周波数同期、ＲＲＭ測定、測位、無線リンク監視などである。いくつかの例では、参照信号は、（１）ＮＲにおける物理セル識別子を符号化するＮＲ−ＳＳ（ＮＲ−ＰＳＳ／ＮＲ−ＳＳＳ）、（２）固有チャネルとさらに関連付けられてよい復調用参照信号（ＤＮＲＳ）、例えば、ＰＢＣＨ  ＤＭＲＳまたはデータＤＭＲＳ、および／または（３）ビーム識別子を暗黙的にまたは明示的に符号化することが可能であるＣＳＩ−ＲＳとすることができる。以下のいくつかの例ではＮＲ−ＳＳをＲＳとして説明しているが、ＲＳはまた、上に示される他のＲＳのうちの１つとすることができる、またはＲＳごとに設定されるＦＣおよびＦＲＢによる複数のＲＳ設定があり得る。
【００２８】
例示の実施形態によると、無線アクセスネットワーク（ＲＡＮ）における方法および／またはＵＥにおける方法は、ＵＥが、ネットワークノードによってＵＥに提供される測定設定による、固有のキャリア周波数、および／またはその固有のキャリア周波数内の固有の周波数チャンクに対する測定を行うことを含む。チャンク設定は、ネットワークノードによってシグナリングされてよい、またはＵＥによって事前定義、または導出／判断されてよい。チャンク設定は、さらに、ＵＥ能力、例えば、チャンクサイズ、チャンク数、または、チャンクと関連付けられたキャリアのセットもしくは数などに頼ってよい。
【００２９】
別の例示の実施形態によると、無線アクセスネットワーク（ＲＡＮ）における方法および／またはＵＥにおける方法は、ＵＥが、ネットワークノードによってＵＥに提供される測定設定による、固有のキャリア周波数、および／またはその固有のキャリア周波数内の固有の周波数チャンクの測定についての測定レポートを行うことを含む。
【００３０】
本明細書に説明されるさまざまな実施形態において、ＵＥは、無線信号上でネットワークノードまたは別のＵＥと通信することが可能な任意のタイプの無線デバイスとすることができる。ＵＥはまた、無線通信デバイス、ターゲットデバイス、デバイス間（Ｄ２Ｄ）ＵＥ、マシン型ＵＥ、マシンツーマシン通信（Ｍ２Ｍ）対応ＵＥ、センサ装備ＵＥ、タブレット、携帯端末、スマートフォン、ラップトップ埋め込み機器（ＬＥＥ）、ラップトップ搭載機器（ＬＭＥ）、ＵＳＢドングル、宅内機器（ＣＰＥ）などであってよい。
【００３１】
本明細書に説明されるさまざまな実施形態において、ネットワークノードは、基地局（ＢＳ）、無線基地局、無線基地局装置、基地局コントローラ、ネットワークコントローラ、マルチスタンダード無線ＢＳ、ｇＮＢ（５Ｇ基地局）、ＮＲ  ＢＳ、エボルブドＮｏｄｅＢ（ｅＮＢ）、ＮｏｄｅＢ、マルチセル／マルチキャスト協調エンティティ（ＭＣＥ）、中継ノード、アクセスポイント、無線アクセスポイント、リモートラジオユニット（ＲＲＵ）、リモート無線ヘッド（ＲＲＨ）、マルチスタンダードＢＳ（別称、ＭＳＲ  ＢＳ）、コアネットワークノード（例えば、ＭＭＥ、ＳＯＮノード、協調ノード、測位ノード、ＭＤＴノードなど）、またはさらには外部ノード（例えば、サードパーティノード、現在のネットワークの外部のノード）などの無線ネットワークノードを含み得る任意の種類のネットワークノードを含む。ネットワークノードはテスト機器を含んでもよい。本明細書で使用される「無線ノード」という用語は、ＵＥまたは無線ネットワークノードを示すために使用されてよい。
【００３２】
本明細書に説明されるさまざまな実施形態において、シグナリングは、（例えば、ＲＲＣなどを介した）上位層シグナリング、（例えば、物理制御チャネルまたはブロードキャストチャネルを介した）下位層シグナリング、またはこれらの任意の組合せを含む。シグナリングは、暗黙的または明示的であってよい。シグナリングは、さらに、ユニキャスト、マルチキャスト、またはブロードキャストであってよい。シグナリングはまた、別のノードに対して直接的であってよい、または第３のノードを介するものであってよい。
【００３３】
本明細書に説明されるさまざまな実施形態において、無線測定は無線信号に対して行われる測定を含む。無線測定は絶対または相対とすることができる。無線測定は、信号品質および／または信号強度とすることができる信号レベルと呼ばれてよい。無線測定は、例えば、周波数内測定、周波数間測定、ＲＡＴ間測定、ＣＡ測定などとすることができる。無線測定は、一方向（例えば、ＤＬまたはＵＬ）または双方向（例えば、ＲＴＴ、Ｒｘ−Ｔｘなど）とすることができる。無線測定のいくつかの例として、タイミング測定（例えば、ＴＯＡ、タイミングアドバンス、ＲＴＴ、ＲＳＴＤ、Ｒｘ−Ｔｘ、伝搬遅延など）、角度測定（例えば、到来角）、電力ベース測定（例えば、受信信号電力、ＲＳＲＰ、受信信号品質、ＲＳＲＱ、ＳＩＮＲ、ＳＮＲ、干渉電力、総干渉プラス雑音、ＲＳＳＩ、雑音電力など）、セル検出またはセル特定、測位、無線リンク監視（ＲＬＭ）、システム情報（ＳＩ）読み出しなどが挙げられる。
【００３４】
キャリアに対する測定を行うことは、そのキャリアにおいて動作する１つまたは複数のセルの信号に対する測定を行うこと、またはキャリアの信号に対する測定を行うこと（例えば、ＲＳＳＩなどのキャリア固有の測定）を含意する場合がある。セル固有の測定またはビーム固有の測定の例には、信号強度、信号品質などがある。
【００３５】
本明細書に説明されるさまざまな実施形態において、測定性能は、無線ノードによって行われる測定の性能を特徴付ける任意の基準または測定基準を含む。測定性能という用語は、測定要件および測定性能要件などと呼ばれる場合もある。無線ノードは、行われる測定に関連している１つまたは複数の測定性能基準を満たさなければならない。測定性能基準の例は、測定時間、測定時間によって測定されるセルの数、測定レポート遅延、測定精度、基準値（例えば、理想的な測定結果）に対する測定精度などである。測定時間の例は、測定期間、セル検出またはセル特定期間、評価期間、およびビーム検出またはビーム特定期間などである。
【００３６】
本明細書に説明されるさまざまな実施形態において、ヌメロロジーは、サブキャリア間隔、帯域幅内のサブキャリアの数、リソースブロックサイズ、シンボル長、およびＣＰ長などの任意の１つまたは組合せを含む。１つの特有の非限定的な例では、ヌメロロジーは、７．５ｋＨｚ、１５ｋＨｚ、３０ｋＨｚ、６０ｋＨｚ、１２０ｋＨｚ、または２４０ｋＨｚのサブキャリア間隔を含む。別の例では、ヌメロロジーは、３０ｋＨｚ以上のサブキャリア間隔で使用されてよいＣＰ長である。
【００３７】
本明細書に説明されるさまざまな実施形態において、帯域幅（ＢＷ）は、あるノードが別のノードに対する信号の送信および／または受信を行う周波数の範囲を含む。ＢＷは、動作帯域幅、チャネル帯域幅、システム帯域幅、設定帯域幅、送信帯域幅、セル帯域幅、セル送信ＢＷ、およびキャリア帯域幅などと呼ばれる場合もある。ＢＷは、以下の、物理チャネルの数に関する、Ｇ１  ＭＨｚ、Ｇ２  ＧＨｚのうちの任意の１つで表現可能である（例えば、Ｇ３リソースブロック、Ｇ４サブキャリアなど）。１つの例では、ＢＷは保護帯域を含むことができるが、別の例では、ＢＷは保護帯域を除外する可能性がある。例えば、システムまたはチャネルＢＷは保護帯域を含むことができるが、送信帯域幅は保護帯域のないＢＷから成る。簡略化のために、ＢＷという用語は実施形態において使用される。
【００３８】
本明細書に説明されるさまざまな実施形態において、周波数リソースブロック（ＦＲＢ）は、１つまたは複数のリソースエレメントまたはサブキャリアを含む任意のタイプの周波数リソースを含む。ＦＲＢは、リソースブロック（ＲＢ）、物理ＲＢ（ＰＲＢ）および仮想ＲＢ（ＶＲＢ）などと称される場合もある。
【００３９】
本明細書に説明される実施形態は、少なくとも２つの無線ネットワークノードが同じＵＥに対して無線測定を設定することができる任意のマルチキャリアシステムに適用可能である。１つの特有の例示のシナリオは、ＬＴＥ  ＰＣｅｌｌおよびＮＲ  ＰＳＣｅｌｌによるデュアルコネクティビティ配置を含む。別の例示のシナリオは、ＮＲ  ＰＣｅｌｌおよびＮＲ  ＰＳＣｅｌｌによるデュアルコネクティビティ配置である。
【００４０】
より詳細には、上に論じられたキャリアアンビギュイティ問題を回避するための例示の技法は、周波数チャンク内のＮＲ−ＳＳブロックをシフトさせてキャリア間を区別することを含む。図１０に示されるように、例示の設定は、キャリア＃４における（符号化されたＰＳＳ／ＳＳＳを含んでよい）ＮＲ−ＳＳブロックがＦＣ＃１、ＦＣ＃２、および／またはＦＣ＃３において送信可能であり、キャリア＃５におけるＮＲ−ＳＳブロックがＦＣ＃３において送信可能であり、キャリア＃６におけるＮＲ−ＳＳブロックがＦＣ＃２および／またはＦＣ＃３において送信可能であることを指定することができる。
【００４１】
ネットワークノードは単一ＦＣ（例えば、ＦＣ＃３）におけるこれら３つのキャリアに対するＮＲ−ＳＳを送信することができるため、異なるシフト値におけるそれぞれのキャリアに対して異なるＦＲＢが提供される。より詳細には、図１０において、キャリア＃４はキャリアによる使用に利用可能な３つの可能なＦＣを有する。ＦＣ＃３が使用される場合、このＦＲＢと関連付けられたシフトはゼロに設定される。キャリア＃５は１つの可能なＦＣのＦＣ＃３を有し、このＦＲＢと関連付けられたシフトは負のシフトに設定される。キャリア＃６は２つの可能なＦＣのＦＣ＃２およびＦＣ＃３を有し、このＦＲＢと関連付けられたシフトは正のシフトである。それに応じて、それぞれのキャリアに対してシフトをＦＲＢと関連付けることによって、それぞれのキャリアに対するＮＲ−ＳＳブロックはＦＣ内の異なる場所にあり、その結果、キャリアアンビギュイティは回避される。別の例として、ＦＣは、ゼロシフトを指示する２４ＲＢのサイズまたはＳＳブロックサイズであり得る。
【００４２】
図１１は、ＦＣおよびＦＲＢ設定に関する別の例を示す。図１１に示されるように、ＦＣを含むＮＲ帯域があり得る周波数範囲がある。ＦＣはいくつかのＦＲＢが設けられ得る。それぞれのＦＣはＦＣ（ｎ）と示され得、ここで、ｎは特定のＦＣを指示する。同様に、ＦＣ（ｎ）内のｍ番目のＦＲＢはＦ（ｎ、ｍ）と示され得る。
【００４３】
以下の技法は、ネットワークがＵＥを設定する例示の技法を提供する。この設定は、暗黙的、明示的、または明示的／暗黙的の組合せとすることができる。例示の設定は以下を含む。
Ａ．明示的なＦＣおよび明示的なＦＲＢ：ネットワークノードは、ＦＣ、または、ＵＥがＲＳを探索するものとするキャリア周波数内の複数の位置を指示するビットマップを指示する整数とすることができる１つのＦＣパラメータ、および、ＦＲＢ、または、キャリア周波数内の、およびＵＥがＲＳを探索するものとするＦＣ内の複数の位置を指示するビットマップを指示する別の整数があり得る別のＦＲＢを設定する。
Ｂ．明示的なＦＣおよび暗黙的なＦＲＢ（キャリア周波数によって与えられる）：ネットワークは、ＵＥがＲＳを探索するものとするＦＣを指示する整数とすることができるＦＣパラメータを設定し、また（設定の一部とすることができる）キャリア周波数およびＦＣを知ることによって、ＵＥは厳密なＦＲＢを導出する。換言すれば、キャリア周波数と、固有のＲＳが（ネットワークによって提供可能である）所与のＦＣに対して送信可能であるＦＲＢとの間の標準における固定マッピングがある（すなわち、ＵＥがそのマッピングに気付く）。その場合、他の重複するＦＣを有するキャリア周波数ごとに１つのＦＲＢがあり得る。それ故に、重複するＦＣを有する新しいキャリアがシステムにおいて規定される場合、チャンクごとの新しいＦＲＢは追加される必要がある場合があり、ＦＣは上方にまたは下方に拡大する場合がある。
Ｃ．暗黙的なＦＣおよび暗黙的なＦＲＢ（両方共キャリア周波数によって与えられる）：ネットワークはキャリア周波数によってＵＥを設定する。さらにまた、標準によってキャリア周波数ごとのデフォルトのＦＣが規定されるため、ＵＥは、測定されるキャリア周波数についての情報のみに基づいてＲＳを探索するための厳密なＦＣを知っている。設定されたキャリア周波数に基づいて、ＵＥは、ＵＥがＲＳを探索するものとするＦＣ内のＦＲＢを導出する。デフォルトのＦＣはキャリアの中心に最も近いものとすることができる。
Ｄ．暗黙的なＦＣおよび暗黙的なＦＲＢ（ブラインド探索）：ネットワークはキャリア周波数によってＵＥを設定する。標準によって、ＦＣに関する十分な柔軟性、およびキャリア周波数ごとのＦＣ利用ごとにＦＲＢが規定される。さらにまた、キャリア周波数以外に何もＵＥに与えられない場合、ＵＥは、標準において規定され、かつ所与のキャリア周波数にとって有限である全ての可能なＦＣ、およびＦＣ内で、ＲＳを検出するためのＦＲＢに対するブラインド探索を行うことができる。１つのパラメータが提供される一方でその他がブラインドで見出されるこの方法の別形があり得る。例えば、ネットワークはＵＥにチャンクを提供し、ＵＥは、標準において規定されるＦＣごとの全ての可能なＦＲＢを知ることによって、どのＦＲＢがＲＳを送信するために使用されているのかをブラインド検出することができる。
Ｅ．暗黙的なＦＣ（デフォルト）および明示的なＦＲＢ（キャリア周波数によって与えられる）：ネットワークはキャリア周波数によってＵＥを設定する。さらにまた、標準によってキャリア周波数ごとのデフォルトのＦＣが規定されるため、ＵＥは、測定されるキャリア周波数についての情報のみに基づいてＲＳを探索するための厳密なＦＣを知っている。さらに、ネットワークは、ＵＥが所与のＦＣに対してＲＳを探索するものとするＦＲＢを設定できる。
Ｆ．暗黙的なＦＣ（デフォルト）および暗黙的なＦＲＢ（デフォルト）：ネットワークはキャリア周波数によってＵＥを設定する。さらにまた、標準によってキャリア周波数ごとのデフォルトのＦＣが規定されるため、ＵＥは、測定されるキャリア周波数についての情報のみに基づいてＲＳを探索するための厳密なＦＣを知っている。さらに、ネットワークは、ＵＥが所与のＦＣに対してＲＳを探索するものとするＦＲＢを設定できる。
Ｇ．明示的なＦＣおよび明示的なＦＲＢの別の例：ネットワークノードは基準周波数値（Ｆｒｅｆ）に対する周波数オフセット（Ｆｏｓ）パラメータを設定する。基準周波数の例は、参照セル（例えば、サービングセル）の中心周波数、参照セルのＳＳＢの中心周波数、周波数帯域の開始周波数（例えば、ＡＲＦＣＮ）、周波数帯域における最後の周波数などである。周波数オフセット（Ｆｏｓ）は周波数領域においてＦＣの位置を判断するためにＵＥによって使用される。例えば、ＦｏｓおよびＦｒｅｆは、ＦＣの中心周波数、ＦＣの開始周波数、およびＦＣの終了周波数のうちの１つを判断するためにＵＥによって使用可能である。周波数領域におけるＦＣの長さまたはサイズは、ネットワークノードによって事前定義可能であるまたは設定可能である。ネットワークノードはさらに、ＦＣ内のＳＳＢの周波数位置（例えば、ＦＣ内の基準周波数リソース（Ｓｒｅｆ）に対するオフセット（Ｓｏｓ））についての情報を送信する。例えば、ＳｏｓはＦＣの中心に対して規定されてよい。ＳｏｓおよびＳｒｅｆはさらにまた、ＦＣ内のＳＳＢの位置を判断するためにＵＥによって使用される。ＵＥはＳＳＢ内で送信されるＲＳを使用してセルを探索する。
Ｈ．ＦＣの事前定義された識別子：別の例では、ＦＣの識別子はある特定の周波数範囲内（例えば、１〜３ＧＨｚ、３〜６ＧＨｚなどの間）で、および／またはそれぞれの周波数帯域内で事前定義可能である。この例では、ネットワークノードは、ＦＣの１つまたは複数の事前定義された識別子、また、設定されたＦＣの周波数帯域または周波数範囲によってＵＥを設定する。これによって、ＵＥは、設定されたＦＣの厳密な周波数または周波数範囲を判断することが可能になる。ＦＣ内のそれぞれのキャリアに対するそれぞれのＳＳＢの位置についての情報は、ＵＥにシグナリング可能である（例えば、ＦＣの中心周波数に対するオフセット）。
【００４４】
ここで、ＦＣについての情報が提供される。ＦＣおよびＦＲＢの設定（暗黙的および／または明示的）は、システム情報に、または測定設定の以下の部分のうちの１つに含まれ得る。
【００４５】
Ａ．ＦＣは測定対象（ＭＯ）の一部である
明示的なＦＣ設定の場合、ＦＣは、キャリア周波数情報（例えば、ＮＲの場合のＡＲＦＣＮ−ＶａｌｕｅＮＲ、またはＥ−ＵＴＲＡ／ＬＴＥの場合のＡＲＦＣＮ−ＶａｌｕｅＥＵＴＲＡ）と共に提供可能である。ＦＣ情報は、ＵＥが特定のＲＳを探索するものとする所与の周波数リソースセットにマッピングされるようにＵＥが知っている整数として提供可能である。ＭＯにおいて設定される所与のキャリア周波数について、標準において規定される複数の可能なＦＣがあり得るため、キャリア周波数と共にＭＯ内のＦＣを提供することによって、ＵＥは正確なＦＣにおけるＲＳを直接探索することができる。
【００４６】
暗黙的なＦＣ設定の場合、キャリア周波数情報（例えば、ＮＲの場合のＡＲＦＣＮ−ＶａｌｕｅＮＲ、またはＥ−ＵＴＲＡ／ＬＴＥの場合のＡＲＦＣＮ−ＶａｌｕｅＥＵＴＲＡ）から導出されるデフォルトのＦＣ値があり得る。そのデフォルトのＦＣ値は、キャリアの中心に関連している可能性がある。
【００４７】
ネットワークノードは、同じＵＥに対して同じＦＣ値で複数のＭＯを設定可能である（例えば、測定される複数のキャリア周波数は（場合によって、ＵＥの最小帯域幅内の）同じＦＣを有することになる）。図１２Ａに示される例において、ネットワークは、それぞれが異なるキャリア周波数（例えば、キャリア１、２、…、Ｋ）に関連付けられる、測定対象ＭＯ−１、ＭＯ−２、ＭＯ−ＫによってＵＥを設定しており、これらのキャリアは重複している可能性があるため、同じ周波数チャンクはＭＯごとに設定され、すなわち、ＦＣ（７）である。
【００４８】
ネットワークノードは、同じＵＥに対して異なるＦＣ値で複数のＭＯを設定可能である（例えば、測定される複数のキャリア周波数は異なるＦＣ値を有することになる（すなわち、周波数再調整は、ＵＥの最小帯域幅およびＦＣ間の距離に応じて必要とされる場合がある））。図１２Ｂに示される例では、ネットワークは、それぞれが異なるキャリア周波数（例えば、キャリア１、２、…、Ｋ＊）に関連付けられる、測定対象ＭＯ−１、ＭＯ−２、…、ＭＯ−Ｋ＊によってＵＥを設定しており、これらのキャリアは全て重複していないため、異なる周波数チャンクが設定される（例えば、ＦＣ（７）およびＦＣ（２０））。
【００４９】
ＦＣがＭＯに関連付けられる場合、そのＭＯに関連付けられる全てのレポート設定（例えば、Ａ１、Ａ２などのような測定イベントを含有するｒｅｐｏｒｔＣｏｎｆｉｇ）に対して、ＵＥはそのＦＣに関連付けられた周波数リソースにおいてＲＳを探索することになる。換言すれば、異なるＦＣに関連付けられた同じキャリアに対して異なるイベントを有することはできない。同じＭＯに関連付けられた複数の測定ＩＤは、（同じキャリアが異なるＦＣにおける複数の同時ＳＳブロックを送信できる場合の制限であり得る）同じＦＣに対してなされるものとする。
【００５０】
ネットワークノードは、ＵＥが異なる周波数位置において送信される同じキャリアに対する複数の同時ＳＳブロックを測定するものとする場合を包含するように、同じＭＯではあるが潜在的に複数のＦＣ値によってＵＥを設定可能である。ネットワークは、情報によってＵＥを設定することもできる。その場合、同じセルは同じＭＯに対して異なるＦＣにおいて送信している可能性があり、ネットワークは、ＵＥが、同じＰＣＩを有するこれら２つのＲＳに基づいて測定を行うように設定することができる。
【００５１】
Ｂ．ＦＣは測定対象（ＭＯ）の一部である
明示的なＦＲＢ設定の場合、ＦＲＢはキャリア周波数情報（例えば、ＮＲの場合のＡＲＦＣＮ−ＶａｌｕｅＮＲ、またはＥ−ＵＴＲＡ／ＬＴＥの場合のＡＲＦＣＮ−ＶａｌｕｅＥＵＴＲＡ）と共に提供可能である。ＦＲＢ情報は、ＵＥが特定のＲＳを探索するものとする非常に特定的な周波数リソースにマッピングされるようにＵＥが知っている整数として提供可能である。
【００５２】
ＦＲＢ情報はＦＣと共に提供可能である。それ故に、所与のＭＯについて、ＵＥは、ＲＳを探索するためのチャンクおよびＦＲＢがどれかを知ることになる。また、ＵＥは、指示されたＦＲＢ／ＦＣにおいてＲＳを見出す場合、ＲＳは設定されたＭＯ（およびｒｅｐｏｒｔＣｏｎｆｉｇおよびｍｅａｓＩｄ）と関連付けられるものとすることを知る。
【００５３】
ＦＲＢは、ＦＣと組み合わせられる階層構造を有することができる（例えば、所与のＦＣに対して、整数によって指示されるＦＲＢの有限セットがあり得る）。これらの２つのパラメータは、測定対象の一部である単一のＩＥにおいて組合せ可能である。
【００５４】
Ｃ．ＦＣおよびＦＲＢのみが測定対象を規定する
測定対象は、ある程度、ＦＣによって特徴付けられる（例えば、キャリア周波数は二次情報になる）。その場合、ネットワークは、ＵＥがＲＳを探索するものとする厳密なＦＣによってＵＥを設定する。異なるＭＯは異なるＦＣを有することが考えられるが、重複するキャリアの場合の周波数再調整を回避するために依然ＵＥの最小帯域幅内にある可能性がある。
【００５５】
測定対象は、ＦＣおよびＦＲＢ両方によって特徴付けられる。その場合、ネットワークは、ＵＥがＲＳを探索するものとする厳密なＦＣおよび厳密なＦＲＢによってＵＥを設定する。異なるＭＯは異なるＦＣ／ＦＲＢ対を有すると思われるため、同じＦＣは異なるキャリアに対して規定される可能性があるが、異なるＦＲＢはこれらが異なるキャリアであることを特徴付けることが考えられる。
【００５６】
ＭＯがこれら２つのパラメータのうちの１つによって特徴付けられるという事実は、上述されるような暗黙的な設定に対するＭＯにおけるキャリア周波数情報の使用を除外しない（例えば、キャリア周波数に応じて、ＵＥは、ＲＳが固有のＦＲＢにおいて送信されることを所与のＦＣに対して想定する）。
【００５７】
Ｄ．ＦＣはレポート設定の一部である
ネットワークノードは、レポート設定の一部としてＦＣを設定可能である。例えば、ＦＣは、ネットワークノードが設定を望む場合があるそれぞれの測定イベントにリンク可能である。測定識別子（ｍｅａｓＩｄ）はｒｅｐｏｒｔＣｏｎｆｉｇをｍｅａｓＯｂｊｅｃｔにリンクさせるため、異なるＭＯに対して（例えば、異なるキャリア周波数に対して）、同じＦＣがあり得、それによって、これがＵＥの最小帯域幅内にある限りは、再調整なしの周波数間測定が行われ得る。
【００５８】
別の潜在的な利点は、ｒｅｐｏｒｔＣｏｎｆｉｇがまた、所与のイベントに使用するのはどのＲＳかを伝えることである。それ故に、ＦＣは測定されるＲＳに直接関連付け可能であるが、ＭＯにおいて設定される場合、ＲＳタイプ（例えば、ＮＲ−ＳＳおよびＣＳＩ−ＲＳ）ごとのＦＣ情報を必要とする場合がある。
【００５９】
ネットワークは、複数のレポート設定を同じＭＯにリンクさせることができる。その場合、それぞれのｒｅｐｏｒｔＣｏｎｆｉｇはＦＣを有することができるため、同じＭＯに関連付けられる複数のＦＣがあり得、これは、キャリアごとの複数の同時ＳＳブロック送信の場合に有用である可能性がある。
【００６０】
ＵＥがＲＳを種々のキャリアと区別できるようにするために、ＦＲＢは異なるキャリアに対して異なっているものとするが、ＦＣは同じである可能性がある。それ故に、ＦＣがｒｅｐｏｒｔＣｏｎｆｉｇの一部であることによって、依然、ＦＲＢをＭＯと関連付け可能とし、場合によって、明示的にまたは暗黙的に設定可能とする。例えば、キャリア周波数ごとの可能とされるＦＲＢのセット間に１対１マッピングがあり得る。ＦＣが複数ある可能性があるためセットが与えられる。それ故に、ＭＯおよびｒｅｐｏｒｔＣｏｎｆｉｇをリンクさせる所与のｍｅａｓＩｄについて、ＵＥは、そのｍｅａｓＩｄおよびＭＯに対するＦＣを知る。ＭＯのおかげで、ＵＥはその提供されるＦＣに対する厳密なＦＲＢを知っている。代替的には、ＵＥは明示的にＭＯにおいてＦＲＢが与えられる。
【００６１】
同じＦＲＢが異なるＭＯに対して（例えば、異なるキャリア周波数に対して）使用される場合、ＵＥはセルを種々のキャリアと区別することができない。
【００６２】
ＦＣおよび／またはＦＲＢ情報を提供する例
ＲＲＣ接続状態のＵＥに対して、ＦＣおよび／またはＦＲＢについての情報は、ＲＲＣ接続再設定、ＲＲＣ接続再開、またはＲＲＣ接続セットアップにおいて提供可能である測定設定（ｍｅａｓＣｏｎｆｉｇ）の一部として提供可能である。情報は、（ブロードキャストされた、ＵＥ固有の、要求に応じて、または判断された必要性に応じてなど）システム情報を介して提供されてもよく、情報のいくつかの共通部分は、ブロードキャストされたシステム情報を介して提供されてもよい。ＲＲＣ非アクティブ状態またはＲＲＣアイドルにおけるＵＥに対して、ＦＣおよび／またはＦＲＢについての情報は、求めに応じてブロードキャストされるまたは要求される可能性があるシステム情報を介して提供可能である。
【００６３】
ＵＥは、ネットワークによって提供される測定設定に従って、固有のキャリア周波数、およびその固有のキャリア周波数内の固有の周波数チャンクに対する測定について測定レポートを行ってよい。ＦＣおよび／またはＦＲＢが測定対象の一部であり、かつＵＥがＸのキャリアを測定するように設定される場合、ＵＥは、Ｘの測定対象によって、これらのそれぞれがこれら自体のＦＣ／ＦＲＢを有するように設定されてよい。これら測定対象のそれぞれは、ｍｅａｓＩｄおよびｒｅｐｏｒｔＣｏｎｆｉｇにリンクされることになる。それ故に、ＵＥが所与のＦＣ／ＦＲＢにおけるセルを見出す場合、ＵＥは、正確なＭＯに、ひいては正確なｍｅａｓＩｄに関連付け可能である。それ故に、セル／ビームレベル測定によってｍｅａｓＩｄをレポートすることは、ネットワークが、どのキャリアにこれらの測定が関連付けられるのかを識別できるようにするのに十分である。
【００６４】
ネットワークが、ＦＲＢではなくＦＣによってＵＥを設定し、かつキャリア周波数とＦＲＢとの間の標準において規定される１対１マッピングがないシナリオにおいて、ＵＥは、設定ＦＣについて、ＦＣに対して可能なＦＲＢにおけるセルをブラインド探索することができる。ＵＥがその設定されたＭＯ／ｒｅｐｏｒｔＣｏｎｆｉｇが（例えば、設定された周波数チャンクに対して）トリガされるセルおよびイベントを見出す時、ＵＥは、測定レポートにおいて、情報が測定レポートに含まれるセル（例えば、トリガされたセル）を見出したＦＲＢを含む。
【００６５】
ネットワークが、ＦＣおよび／またはＦＲＢによってＵＥを設定しないシナリオにおいて、このＦＣおよびＦＲＢは両方共、検出されたセルと共に測定レポートに含まれ得る。
【００６６】
図１は、測定を行う例示の方法１００を示す。特定の実施形態において、ＵＥは方法１００を実行する。ＵＥは、ステップ１０４において、ネットワークノードによって提供される測定設定に従って、キャリア周波数、および／またはキャリア周波数内の周波数チャンクに対して測定することによって開始する。ステップ１０８では、ＵＥは、ネットワークノードによって提供される測定設定に従って、キャリア周波数、および／またはキャリア周波数内の周波数チャンクに対する測定をレポートする。
【００６７】
図２は、測定を設定する例示の方法２００を示す。特定の実施形態では、ネットワークノードは方法２００を実行する。ネットワークノードは、ステップ２０４において、キャリア周波数、および／またはキャリア周波数内の周波数チャンクを指示する測定設定を生成することによって開始する。ステップ２０６において、ネットワークノードは、測定設定をユーザ機器に通信する。ＵＥは、本明細書に説明されるように、通信された測定設定を使用して、測定を行いかつ測定をレポートしてよい。
【００６８】
図３は、ある特定の実施形態による、ネットワーク３００の一実施形態を示すブロック図である。ネットワーク３００は、区別なく無線デバイス３１０と称される場合がある、１つまたは複数のＵＥ３１０ａ、３１０ｂ、３１０ｃ、３１０ｄ、および３１０ｅ、ならびに、区別なくｅＮＢ３１５と称される場合がある、１つまたは複数のネットワークノード３１５ａ、３１５ｂ、および３１５ｃを含む。ＵＥ３１０は、無線インターフェース上でネットワークノード３１５と通信してよい。例えば、ＵＥ３１０は、無線信号をネットワークノード３１５の１つまたは複数に送信してよい、および／または無線信号をネットワークノード３１５の１つまたは複数から受信してよい。無線信号は、音声トラヒック、データトラヒック、制御信号、および／または任意の他の適した情報を含有してよい。いくつかの実施形態では、ネットワークノード３１５と関連付けられた無線信号カバレッジのエリアは、例として、図において、セル３２５ａ、セル３２５ｂ、およびセル３２５ｃで示されるようなセルと称されてよい。いくつかの実施形態では、ＵＥ３１０はデバイス間（Ｄ２Ｄ）能力を有することができる。よって、ＵＥ３１０は、別のＵＥに対して直接、信号の受信および／または信号の送信を行うことが可能であってよい。
【００６９】
ある特定の実施形態では、ネットワークノード３１５は、無線ネットワークコントローラとインターフェース接続してよい。無線ネットワークコントローラは、ネットワークノード３１５を制御してよく、かつ、ある特定の無線リソース管理機能、モビリティ管理機能、および／または他の適した機能を提供してよい。ある特定の実施形態では、無線ネットワークコントローラの機能はネットワークノード３１５に含まれてよい。無線ネットワークコントローラはコアネットワークノードとインターフェース接続してよい。ある特定の実施形態では、無線ネットワークコントローラは相互接続ネットワーク３２０を介してコアネットワークノードとインターフェース接続してよい。相互接続ネットワーク３２０は、オーディオ、ビデオ、信号、データ、メッセージ、または前述の任意の組合せを送信可能である任意の相互接続システムを指す場合がある。相互接続ネットワーク３２０は、公衆交換電話網（ＰＳＴＮ）、公衆またはプライベートデータネットワーク、ローカルエリアネットワーク（ＬＡＮ）、メトロポリタンエリアネットワーク（ＭＡＮ）、ワイドエリアネットワーク（ＷＡＮ）、インターネットなどのローカル、地域、もしくはグローバル通信またはコンピュータネットワーク、有線または無線ネットワーク、企業イントラネット、あるいは、これらの組合せを含む任意の他の適した通信リンクの全てまたは一部分を含むことができる。
【００７０】
いくつかの実施形態では、コアネットワークノードは、通信セッションの確立、およびＵＥ３１０に対するさまざまな他の機能性を管理してよい。ＵＥ３１０は、非アクセス層を使用してある特定の信号をコアネットワークノードと交換してよい。非アクセス層シグナリングにおいて、ＵＥ３１０とコアネットワークノードとの間の信号は、無線アクセスネットワークを透過的に通過してよい。ある特定の実施形態では、ネットワークノード３１５は、例えば、Ｘ２インターフェースといった、ノード間インターフェース上で１つまたは複数のネットワークノードとインターフェース接続してよい。
【００７１】
上述されるように、ネットワーク３００の例示の実施形態は、１つまたは複数の無線デバイス３１０、および、無線デバイス３１０と（直接または間接的に）通信することが可能な１つまたは複数の種々のタイプのネットワークノードを含んでよい。
【００７２】
いくつかの実施形態では、非限定的な用語のＵＥが使用される。本明細書に説明されるＵＥ３１０は、無線信号上でネットワークノード３１５または別のＵＥと通信することが可能な任意のタイプの無線デバイスとすることができる。ＵＥ３１０はまた、無線通信デバイス、ターゲットデバイス、Ｄ２Ｄ  ＵＥ、マシン型通信ＵＥもしくはマシンツーマシン通信（Ｍ２Ｍ）対応ＵＥ、低費用および／もしくは低複雑性ＵＥ、センサ装備ＵＥ、タブレット、携帯端末、スマートフォン、ラップトップ埋め込み機器（ＬＥＥ）、ラップトップ搭載機器（ＬＭＥ）、ＵＳＢドングル、宅内機器（ＣＰＥ）などであってもよい。ＵＥ３１０は、通常のカバレッジ、またはこのサービングセルに対する拡大カバレッジのどちらかのもとで動作してよい。拡大カバレッジは、拡張カバレッジと区別なく称されてよい。ＵＥ３１０は、複数のカバレッジレベル（例えば、通常のカバレッジ、拡大カバレッジレベル３、拡大カバレッジレベル２、および拡大カバレッジレベル３など）で動作してもよい。場合によっては、ＵＥ３１０はカバレッジ外のシナリオで動作してもよい。
【００７３】
また、いくつかの実施形態では、「無線ネットワークノード」（または単に「ネットワークノード」）という一般的な専門用語が使用される。この無線ネットワークノードは、基地局（ＢＳ）、無線基地局、ＮｏｄｅＢ、マルチスタンダード無線（ＭＳＲ）ＢＳなどのＭＳＲの無線ノード、エボルブドＮｏｄｅＢ（ｅＮＢ）、ネットワークコントローラ、無線ネットワークコントローラ（ＲＮＣ）、基地局コントローラ（ＢＳＣ）、中継ノード、中継器、ドナーノード制御中継器、無線基地局装置（ＢＴＳ）、アクセスポイント（ＡＰ）、無線アクセスポイント、送信ポイント、送信ノード、リモートラジオユニット（ＲＲＵ）、リモート無線ヘッド（ＲＲＨ）、分散アンテナシステム（ＤＡＳ）におけるノード、マルチセル／マルチキャスト協調エンティティ（ＭＣＥ）、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴ、または任意の他の適したネットワークノードを含むことができる、任意の種類のネットワークノードとすることができる。
【００７４】
本開示では、上述される動作およびプロセスのいずれかを行うネットワーク３００におけるＵＥ３１０およびネットワークノード３１５のいずれかを意図している。例えば、ＵＥ３１０のいずれかは、ネットワークノードによって提供される測定設定に従って、キャリア周波数、および／またはキャリア周波数内の周波数チャンクに対する測定を行い、かつ、測定設定に従って、キャリア周波数、および／またはキャリア周波数内の周波数チャンクに対する測定をレポートすることができる。別の例として、ネットワークノード３１５のいずれかは、キャリア周波数、および／またはキャリア周波数内の周波数チャンクを指示する測定設定を生成し、かつ測定設定をユーザ機器に通信することができる。
【００７５】
ＵＥ３１０、ネットワークノード３１５、および（無線ネットワークコントローラまたはコアネットワークノードなどの）他のネットワークノードの例示の実施形態について、図４〜図９を参照してより詳細に後述する。
【００７６】
図３は、ネットワーク３００の特定の配置構成（ａｒｒａｎｇｅｍｅｎｔ）を示すが、本開示は、本明細書に説明されるさまざまな実施形態が任意の適した設定を有するさまざまなネットワーク（例えば、図４に示される実施形態）に適用されてよいことを意図している。図４は、２つの無線デバイス４１０ａおよび４１０ｂと通信する１つのネットワークノード４１５を含むネットワーク４００を示す。本開示は、ネットワーク４００が任意の数のネットワークノードと通信する任意の数のＵＥを含んでよいことを意図している。ネットワーク４００は、任意の適した数のＵＥ４１０およびネットワークノード４１５、ならびに、ＵＥ間、またはＵＥと（固定電話などの）別の通信デバイスとの間の通信をサポートするのに適した任意の追加の要素を含んでよい。さらに、ある特定の実施形態はＬｏｎｇ−Ｔｅｒｍ  Ｅｖｏｌｕｔｉｏｎ（ＬＴＥ）ネットワークにおいて実施されると説明される場合があるが、実施形態は、（５Ｇ標準を含む）任意の適した通信標準をサポートし、かつ任意の適したコンポーネントを使用する任意の適切なタイプの電気通信システムにおいて実施されてよく、ＵＥが信号（例えば、データ）を受信するおよび／または送信する任意の無線アクセス技術（ＲＡＴ）またはマルチＲＡＴシステムに適用可能である。例えば、本明細書に説明されるさまざまな実施形態は、ＬＴＥ、ＬＴＥ−Ａｄｖａｎｃｅｄ、５Ｇ、ＵＭＴＳ、ＨＳＰＡ、ＧＳＭ、ｃｄｍａ２０００、ＷＣＤＭＡ、ＷｉＭａｘ、ＵＭＢ、ＷｉＦｉ、別の適した無線アクセス技術、または１つまたは複数の無線アクセス技術の任意の適した組合せに適用可能であってよい。ある特定の実施形態はダウンリンクにおける無線送信の文脈で説明される場合があるが、本開示は、さまざまな実施形態がアップリンクにおいて等しく適用可能であることを意図している。
【００７７】
図５は、ある特定の実施形態による、例示の無線デバイス５１０の概略ブロック図である。いくつかの実施形態では、無線デバイス５１０は、図３に示されるＵＥ３１０などのＵＥを提供する。無線デバイス５１０は、セルラーまたは移動体通信システムにおいてノードおよび／または別の無線デバイスと通信する任意のタイプの無線デバイスを指す場合がある。無線デバイス５１０の例には、携帯電話、スマートフォン、ＰＤＡ（携帯情報端末）、ポータブルコンピュータ（例えば、ラップトップ、タブレット）、センサ、アクチュエータ、モデム、マシン型通信（ＭＴＣ）デバイス／マシンツーマシン（Ｍ２Ｍ）デバイス、ラップトップ埋め込み機器（ＬＥＥ）、ラップトップ搭載機器（ＬＭＥ）、ＵＳＢドングル、Ｄ２Ｄ対応デバイス、または無線通信を提供できる別のデバイスが挙げられる。無線デバイス５１０は、いくつかの実施形態では、ＵＥ、ステーション（ＳＴＡ）、デバイス、または端末と称される場合もある。無線デバイス５１０は、トランシーバ５１０、処理回路構成５２０、およびメモリ５３０を含む。いくつかの実施形態では、トランシーバ５１０は、図３に示されるネットワークノード３１５といった、（例えば、アンテナを介して）ネットワークノードに対する、無線信号の送信および無線信号の受信を容易にする。処理回路構成５２０は、無線デバイス５１０によって提供されるような上述される機能性の一部または全てを提供するための命令を実行し、メモリ５３０は、処理回路構成５２０によって実行される命令を記憶する。
【００７８】
処理回路構成５２０は、図１〜図４に関して上述される無線デバイス５１０の機能といった、無線デバイス５１０の説明した機能の一部または全てを実行するように命令を実行しかつデータを操作するための１つまたは複数のモジュールにおいて実装されるハードウェアおよびソフトウェアの任意の適した組合せを含んでよい。いくつかの実施形態では、処理回路構成５２０は、例えば、１つまたは複数のコンピュータ、１つまたは複数の中央処理装置（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）、および／または他の論理を含んでよい。
【００７９】
メモリ５３０は、一般的に、コンピュータプログラム、ソフトウェア、論理、規則、アルゴリズム、コード、テーブルなどのうちの１つまたは複数を含むアプリケーション、および／または処理回路構成５２０によって実行可能である他の命令などの命令を記憶するように動作可能である。メモリ５３０の例には、コンピュータメモリ（例えば、ランダムアクセスメモリ（ＲＡＭ）または読み出し専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、処理回路構成５２０によって使用可能である情報、データ、および／または命令を記憶する任意の他の揮発性もしくは不揮発性、非一時的なコンピュータ可読および／もしくはコンピュータ実行可能メモリデバイスが挙げられる。
【００８０】
無線デバイス５１０の他の実施形態は、図５に示されるもの以外に、上述される機能性および／または（上述される解決策をサポートするために必要な任意の機能性を含む）任意の追加の機能性のいずれかを含む、無線デバイスの機能性のある特定の態様を提供することを担う場合がある、追加のコンポーネントを含んでよい。単なる１つの例として、無線デバイス５１０は、処理回路構成５２０の一部であってよい、入力デバイスおよび回路、出力デバイス、ならびに１つまたは複数の同期ユニットもしくは回路を含んでよい。入力デバイスは無線デバイス５１０へのデータのエントリのための機構を含む。例えば、入力デバイスは、マイクロフォン、入力要素、ディスプレイなどの入力機構を含んでよい。出力デバイスは、オーディオ、ビデオ、および／またはハードコピーフォーマットにおけるデータを出力するための機構を含んでよい。例えば、出力デバイスは、スピーカ、ディスプレイなどを含んでよい。
【００８１】
図６は、ある特定の実施形態による、例示のネットワークノード６１５の概略ブロック図である。ネットワークノード６１５は、ＵＥ、および／または別のネットワークノードと通信する任意のタイプの無線ネットワークノードまたは任意のネットワークノードであってよい。いくつかの例では、ネットワークノード６１５は、図３に示されるネットワークノード３１５を提供するように構造化される。ネットワークノード６１５の例には、ｅＮｏｄｅＢ、ノードＢ、基地局、無線アクセスポイント（例えば、Ｗｉ−Ｆｉアクセスポイント）、低電力ノード、無線基地局装置（ＢＴＳ）、中継器、ドナーノード制御中継器、送信ポイント、送信ノード、リモートＲＦユニット（ＲＲＵ）、リモート無線ヘッド（ＲＲＨ）、マルチスタンダード無線（ＭＳＲ）ＢＳなどのＭＳＲの無線ノード、分散アンテナシステム（ＤＡＳ）におけるノード、Ｏ＆Ｍ、ＯＳＳ、ＳＯＮ、測位ノード（例えば、Ｅ−ＳＭＬＣ）、ＭＤＴ、または任意の他の適したネットワークノードが挙げられる。ネットワークノード６１５は、ホモジニアス配置、ヘテロジニアス配置、または混合配置として、ネットワーク３００全体を通して配置されてよい。ホモジニアス配置は、一般的に、同じ（または同様の）タイプのネットワークノード６１５および／または同様のカバレッジ、ならびに、セルサイズおよびサイト間距離で構成されている配置について説明可能である。ヘテロジニアス配置は、一般的に、種々のセルサイズ、送信電力、容量、およびサイト間距離を有するさまざまなタイプのネットワークノード６１５を使用する配置について説明可能である。例えば、ヘテロジニアス配置は、マクロセルレイアウト全体を通して設置される複数の低電力ノードを含むことができる。混合配置は、ホモジニアス部分およびヘテロジニアス部分の混合を含むことができる。
【００８２】
ネットワークノード６１５は、トランシーバ６１０、処理回路構成６２０、メモリ６３０、およびネットワークインターフェース６４０の１つまたは複数を含んでよい。いくつかの実施形態では、トランシーバ６１０は、（例えばアンテナ６５０を介して）無線デバイス３１０に対する無線信号の送信および無線信号の受信を容易にし、処理回路構成６２０は、ネットワークノード６１５によって提供されるような上述される機能性の一部または全てを提供するための命令を実行し、メモリ６３０は、処理回路構成６２０によって実行される命令を記憶し、ネットワークインターフェース６４０は、ゲートウェイ、スイッチ、ルータ、インターネット、公衆交換電話網（ＰＳＴＮ）、コアネットワークノード、または無線ネットワークコントローラ１３０といった、バックエンドネットワークコンポーネントに対して信号を通信する。
【００８３】
処理回路構成６２０は、図１〜図５に関して上述されるものといった、ネットワークノード６１５の説明した機能の一部または全てを実行するように命令を実行しかつデータを操作するために１つまたは複数のモジュールに実装されるハードウェアおよびソフトウェアの任意の適した組合せを含むことができる。いくつかの実施形態では、処理回路構成６２０は、例えば、１つまたは複数のコンピュータ、１つまたは複数の中央処理装置（ＣＰＵ）、１つまたは複数のマイクロプロセッサ、１つまたは複数のアプリケーション、および／または他の論理を含んでよい。
【００８４】
メモリ６３０は、一般的に、コンピュータプログラム、ソフトウェア、論理、規則、アルゴリズム、コード、テーブルなどのうちの１つまたは複数を含むアプリケーション、および／または、処理回路構成６２０によって実行可能である他の命令などの命令を記憶するように動作可能である。メモリ６３０の例には、コンピュータメモリ（例えば、ランダムアクセスアクセスメモリ（ＲＡＭ）または読み出し専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的なコンピュータ可読および／もしくはコンピュータ実行可能メモリデバイスが挙げられる。
【００８５】
いくつかの実施形態では、ネットワークインターフェース６４０は、処理回路構成６２０に通信可能に結合され、ネットワークノード６１５に対する入力を受信する、ネットワークノード６１５からの出力を送る、入力、出力、またはこの両方の適した処理を行う、他のデバイスに通信する、または、前述の任意の組合せを行うように動作可能である任意の適したデバイスを指す場合がある。ネットワークインターフェース６４０は、ネットワークを通して通信するための、プロトコル変換およびデータ処理能力を含む、適切なハードウェア（例えば、ポート、モデム、ネットワークインターフェースカードなど）およびソフトウェアを含むことができる。
【００８６】
ネットワークノード６１５の他の実施形態は、図６に示されるもの以外に、上述される機能性および／または（上述される解決策をサポートするために必要な任意の機能性を含む）任意の追加の機能性のいずれかを含む、無線ネットワークノードの機能性のある特定の態様を提供することを担う場合がある、追加のコンポーネントを含むことができる。さまざまな種々のタイプのネットワークノードは、同じ物理ハードウェアを有するが、種々の無線アクセス技術をサポートするように（例えばプログラミングによって）設定されるコンポーネントを含むことができる、または、種々の物理コンポーネントを部分的にまたは完全に表すことができる。
【００８７】
図７は、ある特定の実施形態による、例示の無線ネットワークコントローラまたはコアネットワークノード７００の概略ブロック図である。ネットワークノードの例には、移動交換局（ＭＳＣ）、サービングＧＰＲＳサポートノード（ＳＧＳＮ）、モビリティ管理エンティティ（ＭＭＥ）、無線ネットワークコントローラ（ＲＮＣ）、および基地局コントローラ（ＢＳＣ）などを挙げることができる。無線ネットワークコントローラまたはコアネットワークノード７００は、処理回路構成７２０、メモリ７３０、およびネットワークインターフェース７４０を含む。いくつかの実施形態では、処理回路構成７２０は、ネットワークノードによって提供されるような、上述される機能性の一部または全てを提供するための命令を実行し、メモリ７３０は、処理回路構成７２０によって実行される命令を記憶し、ネットワークインターフェース７４０は、ゲートウェイ、スイッチ、ルータ、インターネット、公衆交換電話網（ＰＳＴＮ）、ネットワークノード（例えば、ネットワークノード３１５）、無線ネットワークコントローラ、またはコアネットワークノード７００といった、任意の適したノードに信号を通信する。
【００８８】
処理回路構成７２０は、無線ネットワークコントローラまたはコアネットワークノード７００の説明した機能の一部または全てを実行するように命令を実行しかつデータを操作するために１つまたは複数のモジュールに実装されるハードウェアおよびソフトウェアの任意の適した組合せを含んでよい。いくつかの実施形態では、処理回路構成７２０は、例えば、１つまたは複数のコンピュータ、１つまたは複数の中央処理装置（ＣＰＵ）、１つまたは複数のマイクロプロセッサ、１つまたは複数のアプリケーション、および／または他の論理を含むことができる。
【００８９】
メモリ７３０は、一般的に、コンピュータプログラム、ソフトウェア、論理、規則、アルゴリズム、コード、テーブルなどのうちの１つまたは複数を含むアプリケーション、および／または、処理回路構成７２０によって実行可能である他の命令などの命令を記憶するように動作可能である。メモリ７３０の例には、コンピュータメモリ（例えば、ランダムアクセスアクセスメモリ（ＲＡＭ）または読み出し専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的なコンピュータ可読および／もしくはコンピュータ実行可能メモリデバイスが挙げられる。
【００９０】
いくつかの実施形態では、ネットワークインターフェース７４０は、処理回路構成７２０に通信可能に結合され、かつ、ネットワークノードに対する入力を受信する、ネットワークノードからの出力を送る、入力、出力、またはこの両方の適した処理を行う、他のデバイスに通信する、または、前述の任意の組合せを行うように動作可能である任意の適したデバイスを指す場合がある。ネットワークインターフェース７４０は、ネットワークを通して通信するための、プロトコル変換およびデータ処理能力を含む、適切なハードウェア（例えば、ポート、モデム、ネットワークインターフェースカードなど）およびソフトウェアを含むことができる。
【００９１】
ネットワークノードの他の実施形態は、図７に示されるもの以外に、上述される機能性および／または（上述される解決策をサポートするために必要な任意の機能性を含む）任意の追加の機能性のいずれかを含む、ネットワークノードの機能性のある特定の態様を提供することを担う場合がある、追加のコンポーネントを含むことができる。
【００９２】
図８は、ある特定の実施形態による、例示の無線デバイス８００の概略的なブロック図である。いくつかの例では、無線デバイス８００は、図３に関して説明されるＵＥ３１０などのＵＥを提供するように構造化される。無線デバイス８００は１つまたは複数のモジュールを含んでよい。例えば、無線デバイス８００は、測定モジュール８１０、レポートモジュール８２０、および任意の他の適したモジュールを含んでよい。いくつかの実施形態では、測定モジュール８１０、レポートモジュール８２０、または任意の他の適したモジュールの１つまたは複数は、図５に関連して上述される処理回路構成５２０などの１つまたは複数のプロセッサを使用して実装されてよい。ある特定の実施形態では、さまざまなモジュールの２つ以上の機能は単一のモジュールに組み合わせられてよい。無線デバイス８００は、図１〜図７に関して上述されるセル変更のための方法を実行することができる。
【００９３】
測定モジュール８１０は無線デバイス８００の測定機能を実行することができる。１つの例として、測定モジュール８１０は、図１〜図２によって説明されるようなネットワークノードによって提供される測定設定に従って、キャリア周波数、および／またはキャリア周波数内の周波数チャンクに対する測定を行うことができる。測定モジュール８１０は、図５に関連して上述される処理回路構成５２０などの１つまたは複数のプロセッサを含んでよいまたはこれらに含まれてよい。測定モジュール８１０は、測定モジュール８１０および／または上述される処理回路構成５２０の機能のいずれかを実行するように設定されるアナログおよび／またはデジタル回路構成を含んでよい。測定モジュール８１０の機能は、ある特定の実施形態では、１つまたは複数の別個のモジュールにおいて実行されてよい。
【００９４】
レポートモジュール８２０は、無線デバイス８００のレポート機能を実行することができる。１つの例として、レポートモジュール８２０は、図１〜図２に対して上述されるネットワークノードによって提供される測定設定に従って、キャリア周波数、および／またはキャリア周波数内の周波数チャンクに対する測定をレポートすることができる。レポートモジュール８２０は、図５に関連して上述される処理回路構成５２０などの１つまたは複数のプロセッサを含んでよいまたはこれらに含まれてよい。レポートモジュール８２０は、レポートモジュール８２０および／または上述される処理回路構成５２０の機能のいずれかを実行するように設定されるアナログおよび／またはデジタル回路構成を含んでよい。レポートモジュール８２０の機能は、ある特定の実施形態では、１つまたは複数の別個のモジュールにおいて実行されてよい。
【００９５】
測定モジュール８１０およびレポートモジュール８２０は、ハードウェア（例えば、処理回路構成５２０）および／またはソフトウェアの任意の適した設定を含んでよい。無線デバイス８００は、図８に示されるもの以外に、上述される機能性および／または（本明細書に説明されるさまざまな解決策をサポートするために必要な任意の機能性を含む）任意の追加の機能性のいずれかを含む、任意の適した機能性を提供することを担う場合がある、追加のモジュールを含んでよい。
【００９６】
図９は、ある特定の実施形態による、例示のネットワークノード９００の概略的なブロック図である。いくつかの例では、ネットワークノード９００は、図３に関して説明されるネットワークノード３１５などのネットワークノードを提供するように構造化される。ネットワークノード９００は１つまたは複数のモジュールを含んでよい。例えば、ネットワークノード９００は、生成モジュール９１０、通信モジュール９２０、および任意の他の適したモジュールを含んでよい。いくつかの実施形態では、生成モジュール９１０、通信モジュール９２０、または任意の他の適したモジュールの１つまたは複数は、図６に関連して上述される処理回路構成６２０などの１つまたは複数のプロセッサを使用して実装されてよい。ある特定の実施形態では、さまざまなモジュールの２つ以上の機能は単一のモジュールに組み合わせられてよい。ネットワークノード９００は、図１〜図８に関して上述されるセル変更のための方法を実行することができる。
【００９７】
生成モジュール９１０は、ネットワークノード９００の生成機能を実行することができる。一例として、生成モジュール９１０は、図１〜図２に対して上述される、キャリア周波数、またはキャリア周波数内の周波数チャンクを指示する測定設定を生成することができる。生成モジュール９１０は、図６に関連して上述される処理回路構成６２０などの１つまたは複数のプロセッサを含んでよいまたはこれらに含まれてよい。生成モジュール９１０は、生成モジュール９１０および／または上述される処理回路構成６２０の機能のいずれかを実行するように設定されるアナログおよび／またはデジタル回路構成を含んでよい。生成モジュール９１０の機能は、ある特定の実施形態では、１つまたは複数の別個のモジュールにおいて実行されてよい。
【００９８】
通信モジュール９２０は、ネットワークノード９００の通信機能を実行することができる。１つの例として、通信モジュール９２０は、図１〜図２に対して上述されるようなユーザ機器に測定設定を通信することができる。通信モジュール９２０は、図６に関連して上述される処理回路構成６２０などの１つまたは複数のプロセッサを含んでよいまたはこれらに含まれてよい。通信モジュール９２０は、通信モジュール９２０および／または上述される処理回路構成６２０の機能のいずれかを実行するように設定されるアナログおよび／またはデジタル回路構成を含んでよい。通信モジュール９２０の機能は、ある特定の実施形態では、１つまたは複数の別個のモジュールにおいて実行されてよい。
【００９９】
生成モジュール９１０および通信モジュール９２０はハードウェアおよび／またはソフトウェアの任意の適した設定を含んでよい。ネットワークノード９００は、図９に示されるもの以外に、上述される機能性および／または（本明細書に説明されるさまざまな解決策をサポートするために必要な任意の機能性を含む）任意の追加の機能性のいずれかを含む、任意の適した機能性を提供することを担う場合がある、追加のモジュールを含むことができる。
【０１００】
図１３は、ユーザ機器に対する測定を設定する例示の方法１３００を示す。ステップ１３０２において、ユーザ機器は、ネットワークノードから測定設定を受信する。いくつかの例では、ネットワークノードは、図１４に対して後述されるようなユーザ機器に測定設定を提供する。いくつかの例では、ユーザ機器はまた、ネットワークノードから、１つまたは複数のキャリアのセットに対応するサイズを受信する。測定設定は、１つまたは複数のキャリアのセットに対応する基準周波数を指定する。測定設定は、基準周波数からのオフセットも指定する。
【０１０１】
いくつかの例では、基準周波数は、参照セルの中心周波数、参照信号の中心周波数、周波数帯域の開始周波数、または周波数帯域における終了周波数を指示する。いくつかの例では、指定されたオフセットは開始インデックスを含む。いくつかの例では、オフセットは１つまたは複数のキャリアのセット内の複数の周波数リソースブロックの場所を指定し、かつ、複数の周波数リソースブロックのそれぞれは１つまたは複数のキャリアのセットの異なるキャリアと関連付けられる。いくつかの例では、指定された基準周波数および指定されたオフセットは、同じ無線リソース制御（ＲＲＣ）接続再設定、ＲＲＣ接続再開、またはＲＲＣ接続セットアップ通信において指定される。いくつかの例では、ユーザ機器は、システム情報ブロードキャストを介して、またはユーザ機器からの要求に応答して、指定された基準周波数、およびネットワークノードからの指定されたオフセットを受信する。
【０１０２】
ステップ１３０４において、ユーザ機器は、基準周波数からのオフセットに位置する参照信号に対する測定を行う。いくつかの例では、参照信号は、物理セル識別子を符号化する新無線同期シーケンス（ＮＲ−ＳＳ）、復調用参照信号（ＤＭＲＳ）、またはチャネル状態情報参照信号（ＣＳＩ−ＲＳ）のうちの少なくとも１つを含む。いくつかの例では、指定された基準周波数および／または指定されたオフセットは、ネットワークノードから受信されるビットマップに含まれ、この場合、ビットマップはユーザ機器に複数の位置を指示し、ユーザ機器は参照信号を検索するために複数の位置を探索する。
【０１０３】
ステップ１３０６において、ユーザ機器は１つまたは複数の無線動作に測定を使用する。これらの無線動作は、測定をネットワークノードにレポートすること、時間追跡を行うこと、周波数追跡を行うこと、測位、または無線リンク監視のうちの１つまたは複数を含んでよい。いくつかの例では、ユーザ機器は、ビームを識別する、または参照信号を使用してセルを探索する。いくつかの例では、測位の無線動作は測位測定を行うことである。いくつかの例では、測位測定はｅＮｏｄｅＢまたは測位ノードなど、ネットワークノードに提供される。
【０１０４】
図１４は、ネットワークノードによって測定設定を提供する例示の方法１４００を示す。ステップ１４０２において、ネットワークノードは、測定設定において、１つまたは複数のキャリアのセットに対応する基準周波数を指定する。ステップ１４０４において、ネットワークノードは、測定設定において、基準周波数からのオフセットを指定する。ステップ１４０６において、ネットワークノードは、測定設定をユーザ機器（ＵＥ）に提供する。いくつかの例では、ユーザ機器は、図１３に関して上述されるような測定設定を受信する。
【０１０５】
本開示の範囲から逸脱することなく、本明細書に説明されるシステムおよび装置に対する修正、追加、または省略をなすことができる。システムおよび装置のコンポーネントは統合または分離されてよい。また、システムおよび装置の動作は、より多い、より少ない、または他のコンポーネントによって行われてよい。さらに、システムおよび装置の動作は、ソフトウェア、ハードウェア、および／または他の論理を含む任意の適した論理を使用して行われてよい。本明細書に使用されるように、「それぞれ」は、セットのそれぞれのメンバ、またはセットのサブセットのそれぞれのメンバを指す。
【０１０６】
本開示の範囲から逸脱することなく、本明細書に説明される方法に対する修正、追加、または省略をなすことができる。方法は、より多い、より少ない、または他のステップを含んでよい。さらに、ステップは任意の適した順序で実行されてよい。
【０１０７】
本開示はある特定の実施形態に関して説明されているが、当業者には、実施形態の代替および置換が明らかとなろう。従って、実施形態の上記説明は本開示を制約しない。本開示の趣旨および範囲から逸脱することなく、以下の特許請求の範囲によって規定されるように、他の変更、代入、および代替が可能である。
【図１】
2020530692.tif 000003
【図２】
2020530692.tif 000004
【図３】
2020530692.tif 000005
【図４】
2020530692.tif 000006
【図５】
2020530692.tif 000007
【図６】
2020530692.tif 000008
【図７】
2020530692.tif 000009
【図８】
2020530692.tif 000010
【図９】
2020530692.tif 000011
【図１０】
2020530692.tif 000012
【図１１】
2020530692.tif 000013
【図１２Ａ】
2020530692.tif 000014
【図１２Ｂ】
2020530692.tif 000015
【図１３】
2020530692.tif 000016
【図１４】
2020530692.tif 000017
【国際調査報告】
2020530692.tif 000018
2020530692.tif 000019
2020530692.tif 000020